(57)【要約】【課題】操作性に優れ、検鏡作業の能率向上を実現できる倒立顕微鏡を提供する。【解決手段】顕微鏡本体１に、標本３を載置するステージ２と、ステージ２上方に配置される光源５を設け、この光源５とステージ２の間に、光軸回りに回転可能に設けられるとともに、所定の回転位置で位置決め可能にした、光源５の照明光を標本３に集光するコンデンサ６を配置し、このコンデンサ６に対し光軸と垂直な方向に挿脱操作可能に設けられ、この挿脱操作によりスリット部材を光軸に選択的に挿入するスライダー１３を設け、さらにステージ２の下方に標本３を透過した観察像を拡大観察するための対物レンズ７を配置するとともに、この対物レンズ７により拡大された観察像を観察鏡筒１１により観察可能にしている。【選択図】　　図１
2004109919.tif 000002
【特許請求の範囲】
【請求項１】
顕微鏡本体と、
標本を載置するステージと、
前記ステージの上方に配置される光源と、
前記光源とステージの間に配置され、且つ光軸回りに回転可能に設けられるとともに、任意の回転位置で位置決め可能な、前記光源の照明光を前記標本に集光するコンデンサと、
少なくとも１個の光学素子を保持し、且つ前記コンデンサに対し前記光軸と垂直な方向に挿脱操作可能に設けられ、前記挿脱操作により前記光学素子を前記光軸に選択的に挿入する光学素子切替手段と、
前記ステージの下方に配置され前記標本を透過した観察像を拡大観察するための対物レンズと、
前記対物レンズにより拡大された観察像を観察する観察手段と
を具備したことを特徴とする倒立顕微鏡。
【請求項２】
前記光学素子切替手段は、前記コンデンサの開口絞り位置に設けられ、挿脱方向に沿って複数のスリット部材保持部を有するスライダー本体と、これらスリット部材保持部に収容されるスリットを設けたスリット部材を有し、
前記対物レンズは、前記コンデンサの開口絞りの位置と共役な後側焦点面にモジュレータが設けられ、
前記光学素子切替手段により光軸上に挿入される前記スリット部材のスリット位置が前記モジュレータ上に像を結ぶように調整されることを特徴とする請求項１記載の倒立顕微鏡。
【請求項３】
前記スリット部材保持部は、溝部を有し、該溝部に前記スリット部材を収容するととともに、該溝部内で前後左右および回転方向に自在に移動可能に設け、且つ前記スリット部材の移動に所定の抵抗力を与える抵抗付与手段を設けたことを特徴とする請求項１記載の倒立顕微鏡。
【請求項４】
前記スリット部材は、リング状のスリット枠に保持され、該スリット枠の周面には、円周方向に沿って等間隔に複数のネジタップまたは開口が形成され、これらネジタップまたは開口に選択的に操作レバーが取り付けられることを特徴とする請求項３記載の倒立顕微鏡。
【請求項５】
前記スリット部材は、４０倍対物レンズと２０倍対物レンズのそれぞれに対応するスリットを共用することを特徴とする請求項２記載の倒立顕微鏡。
【発明の詳細な説明】
【０００１】
【発明の属する技術分野】
本発明は、ステージ上に置いた標本を、ステージ下側から対物レンズにより拡大観察する倒立顕微鏡に関するものである。
【０００２】
【従来の技術】
ステージ上に載置した標本を下側から観察する倒立顕微鏡の代表的な構成として、標本を載置するステージが顕微鏡本体に固定され、このステージの上方に照明支柱を介して光源およびこの光源からの照明光を標本位置に集光するコンデンサを配置し、また、ステージの下方に、標本を透過した観察像を拡大観察するための対物レンズが配置され、この対物レンズより拡大された観察像を反射ミラーにより斜め上方に反射させて接眼部にて目視観察可能にしたものがある。
【０００３】
ところで、このような倒立顕微鏡には、例えば、実開昭５８−８８６１７号公報に開示されるように、コンデンサの開口絞り位置に対物レンズの倍率に対応したスリットを配置するとともに、開口絞り位置と共役な対物レンズの後側焦点面に透過率の異なる領域を有するモジュレータを配置し、光源からの照明光をスリットを介して標本を透過し、モジュレータにより一部の振幅を選択的に変調することにより観察像のコントラスト調整を行う、所謂、モジュレーション・コントラスト観察法を採用したものがある。
【０００４】
この場合、同公報には、モジュレータとともに対物レンズを回転可能に支持するとともに、コンデンサの開口絞り位置に、対物レンズの倍率に合わせた複数のスリットを有するターレット円板を配置し、ターレット円板により光路中に挿入されたスリットに対応した対物レンズを光路中に挿入するとともに、対物レンズのモジュレータをスリットの向きに合わせるように対物レンズを回転させるようなことが開示されている。
【０００５】
【発明が解決しようとする課題】
ところが、このような構成によると、コンデンサの開口絞り位置に複数のスリットを有するターレット円板が設けられるため、コンデンサ全体が大型化しまい、また、コントラストの微調整は、対物レンズを回転させることで行うようになるが、対物レンズのモジュレータがコンデンサ側のスリットに対して回転方向にしか移動できないため、調整が難しいという問題がある。
【０００６】
そこで、従来、コンデンサの小型化と、コントラスト調整を極力容易にできるようにするため、コンデンサ側でのスリットの切替をスライダーの挿脱により行うようにしたものが考えられている。
【０００７】
実公平７−４５０４９号公報は、スライダー機構の一例を開示したもので、このようなスライダー機構を用いて、対物レンズの倍率に合わせた複数のスリットをコンデンサの開口絞り位置に配置し、スライダーの挿脱操作により、所望するスリットを照明光路上に保持するようにしている。
【０００８】
ところが、このように照明光路中にスリットを保持するスライダーは、顕微鏡本体の正面、つまり検鏡者側から見て左右方向に挿脱操作される。
【０００９】
このことは、特に、小型の倒立顕微鏡のようにコンデンサとステージとの距離が狭いような場合、さらに、マニピレ一夕などの周辺機器を使用することがあると、スライダーの挿脱方向に周辺機器が存在するため、これら周辺機器に検鏡者の手がぶつかるなど、周辺機器へ干渉することが多々発生し、検鏡作業の妨げになるという問題もあった。
【００１０】
本発明は上記事情に鑑みてなされたもので、操作性に優れ、検鏡作業の能率向上を実現できる倒立顕微鏡を提供することを目的とする。
【００１１】
【課題を解決するための手段】
この結果、本発明によれば、請求項１記載の発明は、顕微鏡本体と、標本を載置するステージと、前記ステージの上方に配置される光源と、前記光源とステージの間に配置され、且つ光軸回りに回転可能に設けられるとともに、任意の回転位置で位置決め可能な、前記光源の照明光を前記標本に集光するコンデンサと、少なくとも１個の光学素子を保持し、且つ前記コンデンサに対し前記光軸と垂直な方向に挿脱操作可能に設けられ、前記挿脱操作により前記光学素子を前記光軸に選択的に挿入する光学素子切替手段と、前記ステージの下方に配置され前記標本を透過した観察像を拡大観察するための対物レンズと、前記対物レンズにより拡大された観察像を観察する観察手段とを具備したことを特徴としている。
【００１２】
請求項２記載の発明は、請求項１記載の発明において、前記光学素子切替手段は、前記コンデンサの開口絞り位置に設けられ、挿脱方向に沿って複数のスリット部材保持部を有するスライダー本体と、これらスリット部材保持部に収容されるスリットを設けたスリット部材を有し、前記対物レンズは、前記コンデンサの開口絞りの位置と共役な後側焦点面にモジュレータが設けられ、前記光学素子切替手段により光軸上に挿入される前記スリット部材のスリット位置が前記モジュレータ上に像を結ぶように調整されることを特徴としている。
【００１３】
請求項３記載の発明は、請求項１記載の発明において、前記スリット部材保持部は、溝部を有し、該溝部に前記スリット部材を収容するととともに、該溝部内で前後左右および回転方向に自在に移動可能に設け、且つ前記スリット部材の移動に所定の抵抗力を与える抵抗付与手段を設けたことを特徴としている。
【００１４】
請求項４記載の発明は、請求項３記載の発明において、前記スリット部材は、リング状のスリット枠に保持され、該スリット枠の周面には、円周方向に沿って等間隔に複数のネジタップまたは開口が形成され、これらネジタップまたは開口に選択的に操作レバーが取り付けられることを特徴としている。
【００１５】
請求項５の発明は、請求項２記載の発明において、前記スリット部材は、４０倍対物レンズと２０倍対物レンズのそれぞれに対応するスリットを共用することを特徴としている。
【００１６】
この結果、本発明によれば、光学素子切替手段が装着されるコンデンサを光軸回りに回転可能にし、光学素子切替手段の挿脱方向を自由に変更できるようにしたので、マニピレ一夕などの周辺機器を使用することがあっても、光学素子切替手段の挿脱方向を変更するだけで、周辺機器への干渉をなくすことができる。
【００１７】
また、本発明によれば、部品点数が少なく安価な構成でモジュレーション・コントラスト観察を行うことができる。
【００１８】
【発明の実施の形態】
以下、本発明の実施の形態を図面に従い説明する。
【００１９】
（第１の実施の形態）
図１は、本発明が適用される倒立顕微鏡の概略構成を示している。
【００２０】
図において、１は顕微鏡本体で、この顕微鏡本体１のステージ固定部である前側固定部１ａと後側固定部１ｂ上には、ステージ２が配置されている。また、このステージ２上には標本３が載置されている。
【００２１】
顕微鏡本体１には、ステージ２上方に向け照明支柱４が設けられている。この照明支柱４は、先端部をほぼ直角に折り曲げられ、この先端部がステージ２面に対して水平方向に配置されている。
【００２２】
照明支柱４の先端部には、透過照明用の光源５が設けられている。この光源５には、ハロゲンランプや水銀ランプなどが用いられる。
【００２３】
また、照明支柱４の先端部には、コンデンサ６が設けられている。このコンデンサ６は、光源５の照明光路上に配置されており、光源５からの照明光を標本３の位置に集光するようになっている。
【００２４】
ステージ２の下方には、対物レンズ７が配置されている。対物レンズ７は、倍率の異なる複数本（図面では１本のみを示している。）がレボルバー８に保持されている。レボルバー８は、回転操作可能になっていて、複数本の対物レンズ７を択一的に光軸Ｏ上に位置させるようになっている。また、レボルバー８は、顕微鏡本体１に図示しない保持部材を介して保持されるとともに、焦準ハンドル９の操作により光軸Ｏに沿って上下動され、ステージ２と対物レンズ７との相対距離を変化させ、標本３のピント合わせを可能にしている
レボルバー８下方の光軸Ｏ上には、反射ミラー１０が設けられている。反射ミラー１０は、標本３を透過し対物レンズ７より拡大された観察像を斜め上方向（水平に対し４５°の角度）に反射させるようにしている。
【００２５】
そして、反射ミラー１０で反射された観察像は、図示しないリレー光学系でリレーされ、観察手段として観察鏡筒１１に取り付けられた接眼レンズ１２に入射し、観察者により目視観察されるようになっている。
【００２６】
図２は、コンデンサ６の概略構成を示す図断面図である。図において、６１はコンデンサ本体で、このコンデンサ本体６１は、固定手段としての連結部材６２により照明支柱４の先端部に取り付けられている。
【００２７】
連結部材６２は、円筒形状をなすもので、一方の開口端部に段部を介して小径の開口部６２ａが形成されている。この小径の開口部６２ａの外周面には、ねじ部６２ｂが形成され、このねじ部６２ｂにより照明支柱４の先端部に固定されている。この場合、連結部材６２は、円筒中心に光源５からの照明光が通るように、照明支柱４に固定されている。
【００２８】
連結部材６２の外周には、円周方向に沿って所定間隔をおいて複数（例えば４個）のピン用孔部６２ｃが形成され、また、これらピン用孔部６２ｃから所定距離だけ下方にずらして、円周方向に沿って所定間隔をおいて複数（例えば３個）の位置決めビス用孔部６２ｄが形成されている。
【００２９】
一方、コンデンサ本体６１は、回転支持部材６１１とレンズ保持部材６１２から構成されている。
【００３０】
回転支持部材６１１は、円筒形状をなすもので、一方開口端部には、フランジ部６１１ａが形成されている。この円筒形状の回転支持部材６１１は、連結部材６２の中空部に挿入された状態で、回転自在となるような直径寸法を有している。また、回転支持部材６１１の外周面には、連結部材６２側のピン用孔部６２ｃに対応する切り欠き溝部６１１ｂが円周方向に沿って形成されるとともに、位置決めビス用孔部６２ｄに対応するＶ溝部６１１ｃが円周方向に沿って形成されている。
【００３１】
レンズ保持部材６１２は、円筒形状をなすもので、一方開口部にフランジ部６１２ａが形成されている。このフランジ部６１２ａは、レンズ保持部材６１２と回転支持部材６１１がスライダー保持部６５を介在する中空部を構成するように連結するためのもので、フランジ部６１２ａ面を回転支持部材６１１側のフランジ部６１１ａ面に突き合わせ、円周方向に配置された複数のビス６３で締め付けることで固定されている。また、レンズ保持部材６１２は、他方開口部に、凸状のレンズ群６４が設けられている。このレンズ群６４は、照明光を集光するためのものである。
【００３２】
回転支持部材６１１とレンズ保持部材６１２の連結部には、スライダー保持部６５が設けられている。このスライダー保持部６５は、レンズ保持部材６１２のフランジ部６１２ａ上の凹部６１２ｂと回転支持部材６１１のフランジ部６１１ａ面で囲まれた部分で形成されている。つまり、フランジ部６１２ａ上の凹部６１２ｂの光軸Ｏに対して線対称な２つの側面６１２ｂ１、６１２ｂ２と、凹部６１２ｂの光軸Ｏに垂直な底面６１２ｂ３および回転支持部材６１１のフランジ部６１１ａの面６１１ａ１で囲まれる部分で形成されている。
【００３３】
この場合、スライダー保持部６５は、連結部材６２を介してコンデンサ本体６１を照明支柱４に固定させた状態で、コンデンサ６の開口絞りの位置、つまり、対物レンズ７の後側焦点位置に照明光を投影する位置に設けられるようになっている。
【００３４】
スライダー保持部６５には、後述するスライダー１３が光軸Ｏと垂直な方向に挿脱可能に保持される。この場合、スライダー保持部６５の側面には、スライダー１３の挿脱方向の位置決めをする複数のクリック機構６６が設けられている。
【００３５】
このように構成したコンデンサ本体６１は、連結部材６２に取り付けられる。この場合、回転支持部材６１１を連結部材６２の中空部に挿入し、連結部材６２のピン用孔部６２ｃに切り欠き溝部６１１ｂの位置を一致させる。この状態から、ピン用孔部６２ｃよりピン６７を挿入し、先端部を切り欠き溝部６１１ｂ内に挿入する。すると、コンデンサ本体６１の自重によりピン６７の先端が切り欠き溝部６１１ｂ側面に当接した状態となり、コンデンサ本体６１全体を光軸Ｏ回りに回転させることが可能となる。
【００３６】
また、連結部材６２の位置決めビス用孔部６２ｄから位置決めビス６８をねじ込む。この場合、図３に示すように、位置決めビス６８は、先端部がＶ溝部６１１ｃに対応する円錐形状部６８ａに形成されている。また、位置決めビス６８は、位置決めビス用孔部６２ｄへのねじ込み当初は、図示のように円錐形状部６８ａの周面にＶ溝部６１１ｃの開口端が当接されている。そして、位置決めビス６８のねじ込みとともに、回転支持部材６１１を連結部材６２の中空部に引き込むように、つまりコンデンサ本体６１全体を上方に押し上げるような力が作用し、フランジ部６１１ａを連結部材６２の開口端６１１ｄに押し当てた状態で固定し、同時に、同焦方向の位置決めを行うようになっている。
【００３７】
この場合、位置決めビス６８を全て緩め、位置決めビス６８の先がＶ溝部６１１ｃに当たらないようにすれば、上述したようにコンデンサ本体６１を光軸Ｏ回りに回転させることができ、スライダー保持部６５へのスライダー１３の挿脱方向を自由に変えることができる。この場合、位置決めビス６８を全て緩めても、ピン６７の先端が切り欠き溝部６１１ｂ側面に当接してストッパとなるためコンデンサ本体６１が落下することはない。
【００３８】
図４および図５は、スライダー保持部６５に挿脱される光学素子切替手段としてのスライダー１３の概略構成を示すもので、図４は正面図、図５は一部側断面図である。
【００３９】
図において、１３１はスライダー本体で、このスライダー本体１３１は、スライダー１３の挿脱方向、つまりスライド方向に細長い形状をなしている。また、スライダー本体１３１は、スライド方向に沿って、スリット部材保持部として円形状をした複数（図示例では２個）の溝部１３１ａが形成されている。この場合、これら溝部１３１ａは、スライダー本体１３１の両端部に対応する側壁を切り欠いて開口部１３１ｂが形成されている。また、これら溝部１３１ａの底面には、透孔１３１ｃが形成されている。この場合、透孔１３１ｃは、溝部１３１ａに収容される、後述のスリット枠１６の径寸法よりやや小さい径寸法に形成されている。
【００４０】
これら溝部１３１ａには、光学素子としてスリット部材１４，１５を保持したリング状のスリット枠１６が収容されている。この場合、スリット枠１６は、溝部１３１ａの周壁面との間に僅かな隙間が形成され、溝部１３１ａの底面に載置された状態で、回転可能で、しかも底面に沿った水平方向にも移動できるようになっている。
【００４１】
スリット部材１４，１５は、円板形状をなすとともに、中心点から外れ、且つ直径方向に対し直交する方向に沿ってスリット１４ａ、１５ａが形成されている。この場合、スリット１４ａ、１５ａは、対物レンズ７の倍率に合わるように、それぞれ幅寸法の異なるものが用いられている。
【００４２】
スリット枠１６の周面には、円周方向に沿って等間隔に複数のネジタップ１６ａが形成されている。これらネジタップ１６ａには、操作レバー１７がねじ込みにより選択的に取り付けられる。操作レバー１７は、溝部１３１ａの開口部１３１ｂを介してスライダー本体１３１の外部からスリット枠１６の回転および水平方向の微移動を操作するためのものである。
【００４３】
この場合、スリット枠１６の周面に等間隔で１２個のネジタップ１６ａが設けられるとすると、例えば、スリット枠１６を時計方向に３０°回転させたら、操作レバー１７を反時計方向、つまりスリット枠１６の回転方向と反対方向の隣接するネジタップ１６ａに付け替えるようにすれば、操作レバー１７の位置をスリット枠１６を回転する前と同じにできる。これにより、スリット枠１６を回転しても容易にスリット１４ａ（１５ａ）の調整を行うことができる。
【００４４】
スライダー本体１３１には、スライダーカバー１３２が設けられている。このスライダーカバー１３２には、溝部１３１ａに対応して透孔１３２ａが形成されている。この透孔１３２ａは、スリット枠１６の径寸法よりやや小さい径寸法に形成されている。
【００４５】
スライダーカバー１３２とスリット枠１６との間には、抵抗付与手段として、弾性部材、例えば、ばね部材１８が設けられている。このばね部材１８は、図６（ａ）（ｂ）に示すようにリング状をなすとともに、波形に形成されている。このばね部材１８は、スライダーカバー１３２の透孔１３２ａ周縁部とスリット枠１６の周縁部との間に介挿され、スリット枠１６を溝部１３１ａの底面に押し付けて所定の摺動抵抗を与えるようにしている。これにより、スリット部材１４，１５を設けたスリット枠１６は、溝部１３１ａの底面上で前後左右および回転方向に自在に移動するとともに、この移動位置で安定して保持されるようになっている。
【００４６】
このようにしたスライダー１３は、図２に示すコンデンサ本体６１のスライダー保持部６５に装着される。この状態で、スライダー１３を押し込み、または引き出し操作すことにより、スリット部材１４，１５を選択的に光軸Ｏ上に位置させることができ、また、ネジタップ１６ａを選択して操作レバー１７を取り付けることにより、スリット枠１６全体の回転方向の位置を決定することができるとともに、この操作レバー１７の操作によりスリット部材１４（１５）の前後左右および回転方向の位置の微調整を行うことができるようになっている。
【００４７】
図１に戻って、対物レンズ７には、コンデンサ本体６１のスライダー保持部６５が設けられる開口絞り位置と共役な後側焦点面にモジュレータ１９が設けられている。このモジュレータ１９は、図７に示すように透過率の異なる複数の領域１９ａ、１９ｂ、１９ｃが設けられている。ここで、領域１９ａは全透過域、領域１９ｂは１５％透過域、領域１９ｃは１％透過域に形成されている。
【００４８】
このように構成した倒立顕微鏡により、モジュレーション・コントラスト観察を行うには、まず、対物レンズ７にモジュレータ１９を取り付け、次に、位置決めビス６８を全て緩め、位置決めビス６８の先がＶ溝部６１１ｃに当たらないようにして、コンデンサ本体６１を光軸Ｏ回りに回転させ、スライダー保持部６５の開口部が顕微鏡本体１の正面、つまり検鏡者側から見て左右方向に向くようにする。
【００４９】
そして、スライダー保持部６５のスライダー１３を挿脱操作し、対物レンズ７の倍率に合ったスリット部材１４（または１５）を光軸Ｏ上に配置させる。この場合、スライダー１３は、クリック機構６６により挿脱方向の位置決めが行われる。
【００５０】
これで、コンデンサ６の開口絞り位置に対物レンズ７の倍率に対応したスリット部材１４（または１５）が配置され、この開口絞り位置と共役な対物レンズ７の後側焦点面にモジュレータ１９が配置される。
【００５１】
この状態から、コンデンサ本体６１をさらに光軸Ｏ回りに回転させ、スライダー保持部６５の開口部が顕微鏡本体１の正面、つまり検鏡者側から見て前後方向を向くようにする。
【００５２】
そして、連結部材６２の位置決めビス６８をねじ込む。すると、この位置決めビス６８のねじ込みとともに、コンデンサ本体６１の回転支持部材６１１を連結部材６２の中空部に引き込むような力、つまりコンデンサ本体６１全体を上方に押し上げるような力が作用し、フランジ部６１１ａを連結部材６２の開口端６１１ｄに押し当てた状態で固定され、同時に同焦方向の位置決めが行われる。
【００５３】
この状態から、光源５からの照明光がスリット部材１４（または１５）のスリット１４ａ（または１５ａ）を通って標本３に照射され、標本３を透過した観察像は、モジュレータ１９に結像される。そして、モジュレータ１９の透過率の異なる領域１９ａ、１９ｂ、１９ｃにより光学的位相傾斜が変調されコントラストが付けられ、モジュレーション・コントラスト観察が行われる。ここで、スリット部材１４が光軸Ｏに位置されている場合は、スリット１４ａがモジュレータ１９の領域１９ｂの１５％透過域に像を結ぶような調整が行われる。
【００５４】
また、スリット枠１６周面に形成された複数のネジタップ１６ａに対して操作レバー１７の取付位置を選択し、スリット部材１４（または１５）の回転方向の位置を調整したり、操作レバー１７により、スリット枠１６をスライダー本体１３１の溝部１３１ａ底面上で前後左右と回転方向に微移動させてスリット１４ａ（または１５ａ）の位置を微調整すると、光源５の照明光の量が調整されるようになり、標本３の光学的位相傾斜に対するコントラストを調整することができる。
【００５５】
従って、このようにすれば、スライダー１３が装着されるコンデンサ６を光軸Ｏ回りに回転可能にしたので、スライダー１３の挿脱方向を自由に変更することができる。これにより、マニピレ一夕などの周辺機器を使用することがあっても、スライダー１３の挿脱方向を変更するだけで、これら周辺機器に検鏡者の手がぶつかるなど、周辺機器へ干渉をなくすことができるので、作業性に優れ、検鏡作業の能率向上を実現できる。
【００５６】
また、コンデンサ開口絞り位置で、操作レバー１７により、スライダー本体１３１の外部からスリット枠１６の回転および水平方向の微移動を操作することにより、微妙なスリット調整を行うことができるので、部品点数が少なく安価な構成でモジュレーション・コントラスト観察を行うことができる。また、このことは、コンデンサと光源の間にポラライザなどの光学素子を配置することなく、モジュレーション・コントラスト観察による標本の立体像を得ることができる
なお、上述したスライダー１３は、スライダー本体１３１のスライド方向に２個の溝部１３１ａを形成し、これら溝部１３１ａにスリット部材１４，１５を保持したスリット枠１６を設ける例を述べたが、例えば、図５と同一部分には同符号を付した図８に示すように、スライダー本体１３１のスライド方向に形成した２個の溝部１３１ａの間に空孔部２０を設けるようにしてもよい。
【００５７】
こうすれば、モジュレーション・コントラスト観察以外の場合、空孔部２０を光軸Ｏ上に位置させるようにすれば、スライダー１３をスライダー保持部６５に装着した状態のまま、通常の顕微鏡観察を行うことができる。
【００５８】
（第２の実施の形態）
次に、本発明の第２の実施の形態を説明する。
【００５９】
図９は、第２の実施の形態に適用されるコンデンサ６の概略構成を示すもので、図２と同一部分には、同符号を付している。
【００６０】
なお、このようなコンデンサ６が装着される倒立顕微鏡については、図１で述べたと同様なので、同図を援用するものとする。
【００６１】
この場合、コンデンサ本体６１の回転支持部材６１１の外周面には、円周方向に沿ってＶ溝部２１が形成され、また、所定間隔（図示例では９０°）をおいて２個のクリック溝部２２ａ、２２ｂが設けられている。
【００６２】
連結部材６２の外周には、円周方向に沿って回転支持部材６１１のＶ溝部２１に対応する位置決めピン用孔部２３が等間隔で複数個（図示例で３個）形成され、また、クリック溝部２２ａ、２２ｂに対応するクリック機構用孔部２４が１個形成されている。
【００６３】
位置決めピン用孔部２３には、先端部がＶ溝部２１に対応する円錐形状部に形成さたピン２５がばね２６を介してビス２７により押圧された状態で収容されている。このピン２５の先端部は、ばね２６の弾性力を持ってＶ溝部２１に挿入されるが、このときのピン２５先端部のＶ溝部２１への挿入とともに、回転支持部材６１１を連結部材６２の中空部に引き込むように、つまりコンデンサ本体６１全体を上方に押し上げるような力が作用し、フランジ部６１１ａを連結部材６２の開口端６１１ｄに押し当てた状態で固定し、同時に同焦方向の位置決めを行うようになっている。
【００６４】
また、クリック機構用孔部２４には、クリックボール２８がばね２９を介してビス３０により押圧されたクリック機構部３１が収容されている。このクリック機構部３１のクリックボール２８は、コンデンサ本体６１を光軸Ｏ回りに回転させたとき、クリック溝部２２ａ（または２２ｂ）に落ち込んでコンデンサ本体６１の回転方向の位置決めを行うようになっている。
【００６５】
これにより、コンデンサ本体６１を光軸Ｏ回りに回転し、スライダー保持部６５の開口部が顕微鏡本体１の正面から見て左右方向に向く位置で、クリック機構部３１のクリックボール２８が一方のクリック溝部２２ａに落ち込んでコンデンサ本体６１の第１の回転方向の位置決めが行われ、また、コンデンサ本体６１を光軸Ｏ回りにさらに９０°回転し、スライダー保持部６５の開口部が顕微鏡本体１の正面から見て前後方向に向く位置で、クリック機構部３１のクリックボール２８が他方のクリック溝部２２ｂに落ち込んでコンデンサ本体６１の第２の回転方向の位置決めが行われる。
【００６６】
このような構成としても、コンデンサ６のスライダー１３が装着されるコンデンサ本体６１を光軸Ｏ回りに回転可能にしたので、上述した実施の形態と同様な効果を期待できる。さらに、コンデンサ本体６１の回転方向の位置決めを簡単に行うことができるので、取り扱い操作を簡単にすることもできる。
【００６７】
（第３の実施の形態）
次に、本発明の第３の実施の形態を説明する。
【００６８】
図１０は、第３の実施の形態に適用されるスライダー１３の概略構成を示すもので、図５と同一部分には、同符号を付している。
【００６９】
なお、このようなスライダー１３が装着される倒立顕微鏡については、図１で述べたと同様なので、同図を援用するものとする。
【００７０】
この場合、スライダー本体１３１の溝部１３１ａに収容されるスリット枠１６は、周面に沿って複数の開口３２が等間隔で形成されている。
【００７１】
これら開口３２には、操作レバー３３が選択的に取り付けられる。この場合、操作レバー３３は、中間部から二つ折りに曲げられ、先端部３３ａ、３３ｂが接離可能な構成になっている。また、折りに曲げ部３３ｃには、先端部３３ａ、３３ｂの間が広げられる方向の弾性力を持たるようにしている。
【００７２】
このような操作レバー３３は、折りに曲げ部３３ｃを弾性変形させ先端部３３ａ、３３ｂの間を狭めてスリット枠１６の開口３２に挿入し、その後、弾性変形を解除することにより開口３２に固定される。
【００７３】
この状態で、操作レバー３３により、スライダー本体１３１の外部から開口部１３１ｂを介してスリット枠１６の回転および水平方向の微移動を操作することができる。
【００７４】
また、操作レバー３３の折りに曲げ部３３ｃを再び弾性変形させて先端部３３ａ、３３ｂの間を狭めるようにすれば、開口３２への固定を解除することができる。このようにして、スリット枠１６周面の開口３２に対して選択的に操作レバー３３を取り付けることができる。
【００７５】
（第４の実施の形態）
次に、本発明の第４の実施の形態を説明する。
【００７６】
図１１は、第４の実施の形態に適用されるスリット部材の概略構成を示している。
【００７７】
上述した実施の形態におけるスライダー１３の各スリット部材１４，１５は、対物レンズ７の倍率に合わせて、それぞれ単独でコンデンサ６の開口絞りの位置に挿入されるようになるが、スリット部材３５上で、倍率が２０倍の対物レンズ７に対するスリット３６の位置と、倍率が４０倍の対物レンズ７に対するスリット３７の位置の一部が重なることを利用して、４０倍の対物レンズ７についても２０倍の対物レンズ７のスリット３６を使用するようにしてもよい。
【００７８】
こうすれば、スライダー１３のスリット部材の数を１つ減らすことができる。
【００７９】
なお、上述した実施の形態では、コンデンサ６の開口絞りの位置にモジュレーション・コントラスト観察用のスリット部材を介在させる例を述べたが、コンデンサ６部分に介在するものとして、位相差リングやＮＤフィルタなどの他の光学素子も考えられる。
【００８０】
上述した実施の形態では、スライダー本体１３１のスライダーカバー１３２とスリット枠１６との間の押圧手段として、ばね部材１８を設けるようにしたが、マグネットやグリスなどを用いることもできる。
【００８１】
上述した実施の形態では、スライダー１３の挿脱方向を標準的な使用状態である検鏡者側から見て左右方向と、マニピュレータなどの周辺機器を設ける際にマニピュレータに干渉しないような前後方向とに任意に位置決めする例が開示されているが、マニピュレータによるインジェクションを行う際、周辺機器との干渉を避け、かつ接眼レンズ１２付近から標本３を目視したい場合、例えば、検鏡者から見て右側からインジェクションを行う場合は、スライダー１３を左手前から右奥に向くように斜めに任意に位置決めするようにしてもよい。そうすることにより、スライダー１３がマニピュレータの邪魔にならず、かつ接眼レンズ１２付近からマニピュレータ先端の針を穿刺する位置や角度を確認できるのでマニピュレータによる標本操作がしやすい。
【００８２】
上述した実施の形態では、連結部材６２においてピン用孔部６２ｃの下方に位置決めビス用孔部６２ｄが形成されているが、ピン６７は、コンデンサ６の落下防止のために配置されているので、ピン用孔部６２ｃの上方に位置決めビス用孔部６２ｄが形成されていても同じ効果が得られる。
【００８３】
その他、本発明は、上記実施の形態に限定されるものでなく、実施段階では、その要旨を変更しない範囲で種々変形することが可能である。
【００８４】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００８５】
【発明の効果】
以上述べたように本発明によれば、操作性に優れ、検鏡作業の能率向上を実現できる倒立顕微鏡を提供できる。
【図面の簡単な説明】
【図１】本発明の第１の実施の形態の倒立顕微鏡の概略構成を示す図。
【図２】第１の実施の形態の倒立顕微鏡に用いられるコンデンサの概略構成を示す図。
【図３】第１の実施の形態の倒立顕微鏡のコンデンサに用いられる位置決めビスとＶ溝部の位置関係を説明する図。
【図４】第１の実施の形態の倒立顕微鏡に用いられるスライダーの概略構成を示す正面図。
【図５】第１の実施の形態の倒立顕微鏡に用いられるスライダーの概略構成を示す一部側断面図。
【図６】第１の実施の形態の倒立顕微鏡のスライダーに用いられるばね部材の概略構成を示す図。
【図７】第１の実施の形態の倒立顕微鏡に用いられるモジュレータの概略構成を示す図。
【図８】第１の実施の形態の倒立顕微鏡に用いられる他のスライダーの概略構成を示す正面図。
【図９】本発明の第２の実施の形態の倒立顕微鏡に用いられるコンデンサの概略構成を示す図。
【図１０】本発明の第３の実施の形態の倒立顕微鏡に用いられるスライダーの概略構成を示す図。
【図１１】本発明の第４の実施の形態の倒立顕微鏡に用いられるスリット部材の概略構成を示す図。
【符号の説明】
１…顕微鏡本体
１ａ…前側固定部
１ｂ…後側固定部
２…ステージ
３…標本
４…照明支柱
５…光源
６…コンデンサ
６１…コンデンサ本体
６１１…回転支持部材
６１１ａ…フランジ部
６１１ａ１…面
６１１ｂ…欠き溝部
６１１ｃ…Ｖ溝部
６１１ｄ…開口端
６１２…レンズ保持部材
６１２ａ…フランジ部
６１２ｂ…凹部
６１２ｂ１．６１２ｂ２…側面
６１２ｂ３…底面
６２…連結部材
６２ａ…開口部
６２ｂ…ねじ部
６２ｃ…ピン用孔部
６２ｄ…ビス用孔部
６３…ビス
６４…レンズ群
６５…スライダー保持部
６６…クリック機構
６７…ピン
６８…ビス
６８ａ…円錐形状部
７…対物レンズ
８…レボルバー
９…焦準ハンドル
１０…反射ミラー
１１…観察鏡筒
１２…接眼レンズ
１３…スライダー
１３１…スライダー本体
１３１ａ…溝部
１３１ｂ…開口部
１３１ｃ…透孔
１３２…スライダーカバー
１３２ａ…透孔
１４．１５…スリット部材
１４ａ．１５ａ…スリット
１６…スリット枠
１６ａ…ネジタップ
１７…操作レバー
１８…ばね部材
１９…モジュレータ
１９ａ．１９ｂ…領域
１９ａ、１９ｂ、１９ｃ…領域
２０…空孔部
２１…Ｖ溝部
２２ａ．２２ｂ…クリック溝部
２３…ピン用孔部
２４…クリック機構用孔部
２５…ピン
２６…ばね
２７…ビス
２８…クリックボール
２９…ばね
３０…ビス
３１…クリック機構部
３２…開口
３３…操作レバー
３３ａ．３３ｂ…先端部
３５…スリット部材
３６、３７…スリット
【図１】
2004109919.tif 000003
【図２】
2004109919.tif 000004
【図３】
2004109919.tif 000005
【図４】
2004109919.tif 000006
【図５】
2004109919.tif 000007
【図６】
2004109919.tif 000008
【図７】
2004109919.tif 000009
【図８】
2004109919.tif 000010
【図９】
2004109919.tif 000011
【図１０】
2004109919.tif 000012
【図１１】
2004109919.tif 000013